(57)【要約】【課題】ロール状に巻き取られた気泡シートを出荷するに際して、専用の収容袋に収容しなくても、異物の混入や、汚損、破損などから気泡シートを保護することができる気泡シート巻物を提供する。【解決手段】所定の長さで巻き取られた気泡シート部２と、巻き取られた気泡シート部２の最外周面に巻き取られるように前記気泡シート部の一端側に連接して形成された外装シート部３と、気泡シート部２の側面に取り付けられた側面保護シート４とを備え、外装シート部３の幅方向両端に形成された幅広部６に、長手方向に沿って所定の間隔で切り込み７を入れて複数の切り込み片８を形成し、気泡シート部２の側面に沿うように折り曲げた切り込み片８を介して側面保護シート４を取り付ける。【選択図】      図１
2015051804.tif 000002
【特許請求の範囲】
【請求項１】
所定の長さで巻き取られた気泡シート部と、巻き取られた前記気泡シート部の最外周面に巻き取られるように前記気泡シート部の一端側に連接して形成された外装シート部と、巻き取られた前記気泡シート部の側面に取り付けられた側面保護シートとを備え、
前記気泡シート部よりも前記外装シート部の方が幅広となるようにして前記外装シート部の幅方向両端に形成された幅広部に、長手方向に沿って所定の間隔で切り込みを入れて複数の切り込み片を形成し、
前記気泡シート部の側面に沿うように前記切り込み片を折り曲げて、前記切り込み片を介して前記側面保護シートを取り付けたことを特徴とする気泡シート巻物。
【請求項２】
前記外装シート部に幅方向に延在する把持部形成領域を形成し、前記把持部形成領域を折り曲げることによって、前記外装シート部の幅方向に沿って突出する把持部を形成した請求項１に記載の気泡シート巻物。
【請求項３】
少なくとも前記把持部の基部において前記外装シート部を折り曲げて重ね合わされた部分を接着した請求項２に記載の気泡シート巻物。
【請求項４】
前記気泡シート部と前記外装シート部との間にミシン目を形成した請求項１〜３のいずれか一項に記載の気泡シート巻物。
【発明の詳細な説明】
【技術分野】
【０００１】
本発明は、独立した多数の気泡を有する気泡シートがロール状に巻き取られた気泡シート巻物に関する。
【背景技術】
【０００２】
従来、中空状に膨出する多数の突起が形成されたキャップフィルムに、突起内に空気を封入するバックフィルムを積層することによって形成された、独立した多数の気泡を有する気泡シートが、包装用の緩衝材をはじめとする各種の用途に広く利用されている。
【０００３】
このような気泡シートは、例えば、多数の吸引キャビティが設けられた成形ロールの外周面に、溶融状態にある樹脂フィルムを接触させて中空状に膨出する突起を真空成形してキャップフィルムとした後に、成形された突起の開口側にバックフィルムを積層するなどして製造することができる（特許文献１など参照）。
【先行技術文献】
【特許文献】
【０００４】
【特許文献１】特開平１１−２１６７７０号公報
【発明の概要】
【発明が解決しようとする課題】
【０００５】
ところで、このようにして製造される気泡シートの多くは、ロール状に巻き取られて市場に供給される。この際、異物の混入や、汚損、破損などを防ぐために、専用の収容袋を用意して、かかる収容袋に収納された状態で出荷されている。
しかしながら、専用の収容袋を用意するのは気泡シートの製造コストを下げる妨げになるため好ましくなく、また、気泡シートには幅寸法が約２．４ｍの長尺のものもあり、これを収納袋に収納する作業には煩雑な手間を要するというような問題があった。
【０００６】
本発明は、上記の事情に鑑みてなされたものであり、ロール状に巻き取られた気泡シートを出荷するに際して、専用の収容袋に収容しなくても、異物の混入や、汚損、破損などから気泡シートを保護することができる気泡シート巻物の提供を目的とする。
【課題を解決するための手段】
【０００７】
本発明に係る気泡シート巻物は、所定の長さで巻き取られた気泡シート部と、巻き取られた前記気泡シート部の最外周面に巻き取られるように前記気泡シート部の一端側に連接して形成された外装シート部と、巻き取られた前記気泡シート部の側面に取り付けられた側面保護シートとを備え、前記気泡シート部よりも前記外装シート部の方が幅広となるようにして前記外装シート部の幅方向両端に形成された幅広部に、長手方向に沿って所定の間隔で切り込みを入れて複数の切り込み片を形成し、前記気泡シート部の側面に沿うように前記切り込み片を折り曲げて、前記切り込み片を介して前記側面保護シートを取り付けた構成としてある。
【発明の効果】
【０００８】
本発明によれば、ロール状に巻き取られた気泡シートを専用の収容袋に収容しなくても、異物の混入や、汚損、破損などから気泡シートを保護することができ、その結果、製造コストの低減を図れるだけでなく、ロール状に巻き取られた気泡シートを収容袋に収容する作業を省略して生産性の向上をも図ることができる。
【図面の簡単な説明】
【０００９】
【図１】本発明の実施形態に係る気泡シート巻物の概略を示す斜視図である。
【図２】本発明の実施形態に係る気泡シート巻物において、気泡シート部の一端側に連接して形成された外装シート部の一例を示す平面図である。
【図３】本発明の実施形態に係る気泡シート巻物における気泡シート部及び外装シート部の製造工程の一例を示す説明図である。
【図４】本発明の実施形態に係る気泡シート巻物における気泡シート部の一例を示す説明図である。
【図５】本発明の実施形態に係る気泡シート巻物における気泡シート部の他の例を示す説明図である。
【発明を実施するための形態】
【００１０】
以下、本発明に係る気泡シート巻物の好ましい実施形態について、図面を参照しつつ説明する。
【００１１】
図１に示す気泡シート巻物１は、所定の長さで巻き取られた気泡シート部２と、巻き取られた気泡シート部２の最外周面に外装材として巻き取られる外装シート部３と、巻き取られた気泡シート部２の側面に取り付けられた側面保護シート４とを備えている。
なお、図１（ａ）は、本実施形態に係る気泡シート巻物を示し、図１（ｂ）は、巻き取られた気泡シート部２の最外周面に外装シート部３を巻き取ったものに、側面保護シート４を取り付ける前の状態を示す。
【００１２】
気泡シート部２は、中空状に膨出する多数の突起２１ａが成形されたキャップフィルム２１と、突起２１ａ内に空気を封入してキャップフィルム２１との間に独立した多数の気泡を形成するバックフィルム２２とを少なくとも含み、これらを熱融着によって積層することによって形成される。
【００１３】
また、外装シート部３は、突起２１ａが成形されていない平坦部をキャップフィルム２１に設け、この平坦部にバックフィルム２２が熱融着によって積層されて、気泡シート部２の一端側に連接して形成される。
なお、図２に、気泡シート部２の一端側に連接して形成された外装シート部３の一例を示す。
【００１４】
このような気泡シート部２及び外装シート部３を形成するには、例えば、図３に示すように、まず、多数の吸引キャビティ１０１ａが設けられた成形ロール１０１の外周面に、フラットダイ１０４からフィルム状に連続して繰り出される溶融樹脂２１ｂを接触させて、中空状に膨出する多数の突起２１ａが成形されたキャップフィルム２１を形成する。特に図示しないが、吸引キャビティ１０１ａのそれぞれは真空ポンプにつながれており、吸引キャビティ１０１ａ内を真空吸引することによって突起２１ａが成形されるようになっている。これとともに、フラットダイ１０５から溶融樹脂を押し出してバックフィルム２２を成形しつつ、これをキャップフィルム２１に成形された突起２１ａの開口側に熱融着して、突起２１ａ内に空気を封入することによって気泡シート部２を形成する。
【００１５】
このようにして形成された気泡シート部２は、剥離ロール１０３によって成形ロール１０１から剥離されて、図示しない巻き取りロールに巻き取られる。そして、気泡シート部２が所定の長さに形成された後に、吸引キャビティ１０１ａ内を真空吸引するのを停止して突起２１ａの成形を中断することによって、キャップフィルム２１に突起２１ａが成形されない平坦部を形成しつつ、この平坦部にも引き続きバックフィルム２２を熱融着する。これによって、気泡シート部２の一端側に連接する外装シート部３が形成される。
【００１６】
気泡シート部２は、気泡シートとしての用途に供される製品部分であり、従前より知られている気泡シートと同様の構成とすることができる。例えば、気泡シート部２は、図４に示すように、キャップフィルム２１とバックフィルム２２とからなる二層構造としてもよいが、図５に示すように、突起２１ａの頂面側にライナーフィルム２３を積層した三層構造としてもよい。気泡シート部２をこのような三層構造とする場合には、特に図示しないが、フラットダイから溶融樹脂を押し出してライナーフィルム２３を成形しながら、突起２１ａの頂面側に熱融着によって積層するなどすればよく、外装シート部３もライナーフィルム２３が積層された三層構造となる。
【００１７】
キャップフィルム２１、バックフィルム２２、ライナーフィルム２３に用いる樹脂としては、熱可塑性樹脂であれば特に限定されない。例えば、分岐状低密度ポリエチレン、中密度ポリエチレン、高密度ポリエチレン、直鎖状低密度ポリエチレン、直鎖状超低密度ポリエチレン、エチレン−プロピレンブロック共重合体、エチレン−プロピレンランダム共重合体、エチレン−ブテンブロック共重合体、エチレン−ブテンランダム共重合体、プロピレン単独重合体、プロピレン−ブテンランダム共重合体、ポリブテン、ポリペンテン、プロピレン−エチレン−ブテン三元共重合体、プロピレン−アクリル酸共重合体及びプロピレン−無水マレイン酸共重合体などのポリオレフィン系樹脂が挙げられ、好ましくは分岐状低密度ポリエチレン、中密度ポリエチレン、高密度ポリエチレン、直鎖状低密度ポリエチレンなどのポリエチレン系樹脂である。これらのポリオレフィン系樹脂は、一種単独又は二種以上を混合して使用することができる。
【００１８】
上記のようにして気泡シート部２と外装シート部３とを形成するに際し、製品としての気泡シート部２と、外装材としての外装シート部３との区別が容易となるように、両者の間には、幅方向に沿ってミシン目５を形成しておくのが好ましい（図２参照）。このようにすることで、使用時に外装シート部３を気泡シート部２から分離して、気泡シート部２を気泡シートとしての用途に供することができる。
【００１９】
また、気泡シート部２は、その幅方向両端の余剰部を切り取って製品として仕上げられるが、外装シート部３にあっては、その両端に余剰部を残しておくことで、気泡シート部２よりも外装シート部３の方が幅広となるようにする。外装シート部３の幅方向両端に残された余剰部からなる幅広部６には、長手方向に沿って所定の間隔で切り込み７を入れて、複数の切り込み片８を形成する。そして、巻き取られた気泡シート部２の表面に外装シート部３が巻き取られると、図１（ｂ）に示すように、巻き取られた気泡シート部２の側面に沿うように切り込み片８を折り曲げて、これを側面保護シート４の接着代として、巻き取られた気泡シート部２の両側面に当該切り込み片８を介して側面保護シート４を取り付けることができる（図１（ａ）参照）。
【００２０】
外装シート部３の幅方向両端に残された幅広部６に切り込み７を入れる間隔は特に限定されないが、形成された切り込み片８を巻き取られた気泡シート部２の側面に沿うように折り曲げたときに、切り込み片８にしわが生じない程度の間隔とするのが好ましい。すなわち、幅広部６をそのまま気泡シート部２の側面に沿うように折り曲げると、幅広部６にしわが生じて側面保護シート４の接着に支障を来してしまうが、幅広部６に切り込み７を入れて複数に分けられた切り込み片８を気泡シート部２の側面に沿うように折り曲げるようにすることで、そのような不具合を防止することができる。
【００２１】
また、側面保護シート４は、巻き取られた気泡シート部２の側面を保護する保護部材として取り付けられるものであり、例えば、ポリエチレン、ポリプロピレンなどのポリオレフィン系樹脂シートを巻き取られた気泡シート部２の側面の大きさに合せて裁断したものを用いることができる。
【００２２】
このようにすることで、本実施形態の気泡シート巻物１は、巻き取られた気泡シート部２が、外装シート部３と側面保護シート４とによって覆われて、異物の混入や、汚損、破損などから保護されている。このため、出荷に際して専用の収納袋を用意する必要もなく、製造コストの低減を図ることができるとともに、ロール状に巻き取られた気泡シートを収容袋に収容する作業を省略して生産性の向上をも図ることができる。
【００２３】
また、外装シート部３の長さは、巻き取られた気泡シート部２の周長以上の長さとして、巻き取られた気泡シート部２の全周を覆うようにするが、幅方向に延在する山折り部９ａと、その両側に平行に延在する二つの谷折り部９ｂとからなる把持部形成領域９を一つ以上（図示する例では二つ）形成するのが好ましい。
【００２４】
このような把持部形成領域９を形成することで、外装シート部３を巻き取られた気泡シート部２の表面に巻き取る際に、外装シート部３を山折り部９ａで山折りにするとともに、谷折り部９ｂで谷折りにすることによって、外装シート部３の幅方向に沿って突出する把持部１０を形成することができる。かかる把持部１０を形成することで、気泡シート巻物１を持ち運び易くすることができるが、少なくとも把持部１０の基部において外装シート部３を折り曲げて重ね合わされた部分をヒートシールするなどして接着し、把持部１０を形成する外装シート部３の重ね合わされた部分が離れてしまわないようにするのが好ましい。
【００２５】
なお、図１に示す例では、二つの把持部１０対称に設けているが、外装シート部３に形成する把持部１０の数は一つでもよく、三つ以上でもよい。気泡シート巻物１の大きさに応じて、持ち運びやすさを考慮して適宜変更することができる。
【００２６】
また、このような把持部１０を形成するにあたり、把持部形成領域９の幅方向両端に形成された切り込み片８も一緒に山折りされてしまうと、巻き取られた気泡シート部２の側面に沿うように折り曲げ難くなるだけでなく、当該側面から突出して側面保護シート４を取り付ける妨げにもなってしまう。このため、把持部形成領域９の幅方向両端側には、図示するようなスリット９ｃを長手方向に沿って形成して、把持部形成領域９の幅方向両端に形成された切り込み片８も一緒に山折りされないようにするのが好ましい。
【００２７】
以上、本発明について、好ましい実施形態を示して説明したが、本発明は、前述した実施形態にのみ限定されるものではなく、本発明の範囲で種々の変更実施が可能であることはいうまでもない。
【産業上の利用可能性】
【００２８】
本発明は、気泡シートがロール状に巻き取られた気泡シート巻物を、異物の混入や、汚損、破損などから保護する技術として利用することができる。
【符号の説明】
【００２９】
１          気泡シート巻物
２          気泡シート部
３          外装シート部
４          側面保護シート
５          ミシン目
６          幅広部
７          切り込み
８          切り込み片
９          把持部形成領域
１０          把持部
【図１】
2015051804.tif 000003
【図２】
2015051804.tif 000004
【図３】
2015051804.tif 000005
【図４】
2015051804.tif 000006
【図５】
2015051804.tif 000007